(57)【要約】【課題】  本発明は、組み立てが容易であるとともに、格子が胴縁から外れにくい格子体を提供することにある。【解決手段】  格子２と胴縁１とを備え、格子２は、一側の見付け壁２ａで胴縁１と固着しており、胴縁１は、垂直片６と水平片７とからなる断面Ｌ型の胴縁補助材４と、胴縁補助材４に取り付く胴縁材５とからなり、胴縁補助材４は、垂直片６に下向きに突出する鉤爪状の被係合部８ａを有し、水平片７に胴縁材当接部９を有し且つ垂直片６の被係合部８ａよりも下方で格子２に固着され、胴縁材５は、垂直壁１０に上向きに突出する鉤爪状の係合部１１ａを有するとともに、底壁１５に胴縁補助材当接部１２を有しており、胴縁補助材４のＬ型の内周側を胴縁材５がスライドして係合部１１ａと被係合部８ａが係合するとともに、胴縁材５が係合部１１ａを軸に見込み方向に回動して胴縁補助材当接部１２と胴縁材当接部９が反発しながら当接することを特徴とする。【選択図】      図１
2011174334.tif 000002
【特許請求の範囲】
【請求項１】
格子と胴縁とを備え、格子は、一側の見付け壁で胴縁と固着しており、胴縁は、垂直片と水平片とからなる断面Ｌ型の胴縁補助材と、胴縁補助材に取り付く胴縁材とからなり、胴縁補助材は、垂直片に下向きに突出する鉤爪状の被係合部を有し、水平片に胴縁材当接部を有し且つ垂直片の被係合部よりも下方で格子に固着され、胴縁材は、垂直壁に上向きに突出する鉤爪状の係合部を有し、底壁に胴縁補助材当接部を有しており、胴縁補助材のＬ型の内周側を胴縁材がスライドして係合部と被係合部が係合するとともに、胴縁材が係合部を軸に見込み方向に回動して胴縁補助材当接部と胴縁材当接部が反発しながら当接することを特徴とする格子体。
【発明の詳細な説明】
【技術分野】
【０００１】
本発明は、フェンスなどに使用される格子体に関するものである。
【背景技術】
【０００２】
格子体を支柱や壁面に取り付けるときに、格子を胴縁で支持するものでは、胴縁に格子をネジ止めで固定するのが一般的である。さらに、特開２００７−１４６４３５号公報に開示されるもののように、胴縁を格子側に固着する一方部材と、支柱側に固着する他方部材とに分割形成し、一方部材と他方部材を係合して取り付けるものがあった。
【先行技術文献】
【特許文献】
【０００３】
特開２００７−１４６４３５号公報
【発明の概要】
【発明が解決しようとする課題】
【０００４】
しかしながら、特開２００７−１４６４３５号公報に開示されるものは、格子と胴縁とを固定するとき、格子を持ち上げた状態で一方部材の係合部を胴縁側の被係合部に一致させて係合しなければならず、施工性が悪い。さらに、一方部材と他方部材が係合するのみの状態であるから、格子に対して下方から力が加わったときに、胴縁から外れて落下する危険性が懸念される。
本発明は、上記課題を鑑みてなされたものであり、組み立てが容易であるとともに、格子が胴縁から外れにくい格子体を提供することにある。
【課題を解決するための手段】
【０００５】
本発明は、格子と胴縁とを備え、格子は、一側の見付け壁で胴縁と固着しており、胴縁は、垂直片と水平片とからなる断面Ｌ型の胴縁補助材と、胴縁補助材に取り付く胴縁材とからなり、胴縁補助材は、垂直片に下向きに突出する鉤爪状の被係合部を有し、水平片に胴縁材当接部を有し且つ垂直片の被係合部よりも下方で格子に固着され、胴縁材は、垂直壁に上向きに突出する鉤爪状の係合部を有し、底壁に胴縁補助材当接部を有しており、胴縁補助材のＬ型の内周側を胴縁材がスライドして係合部と被係合部が係合するとともに、胴縁材が係合部を軸に見込み方向に回動して胴縁補助材当接部と胴縁材当接部が反発しながら当接することを特徴とする。
【発明の効果】
【０００６】
本発明によれば、胴縁が、格子に固着する胴縁補助材と、胴縁補助材に取り付ける胴縁材とに分割形成してあり、さらに、胴縁補助材がＬ字型をなすことで、格子の固着具を隠すことができるとともに、胴縁補助材に胴縁材を取り付けるとき、胴縁補助材のＬ型の水平片でガイドしながら胴縁をスライドできるので、作業者に大きな負担をかけることなく取り付けできて施工が容易である。また、胴縁材が係合部を軸に見込み方向に回動して押し込まれることで、胴縁補助材の下向き鉤爪状の被係合部に、胴縁材の上向きの鉤爪状の係合部が深く嵌り合って係合するとともに、胴縁補助材の胴縁材当接部と胴縁材の胴縁補助材当接部が反発しながら当接するので、胴縁材は、胴縁補助材の垂直片と水平片とで把持される形になり、格子に上下方向から力が加わったときにも、胴縁材と胴縁補助材が外れにくい。
【図面の簡単な説明】
【０００７】
【図１】本実施による格子体を示す図３中Ａ−Ａ線を断面して一部を拡大した縦断面図である。
【図２】（ａ）（ｂ）（ｃ）（ｄ）は、本実施による胴縁補助材と胴縁材を取り付けるときの手順を示す縦断面図であり、（ｅ）は、（ｃ）中Ｃを拡大して示す縦断面図であり、（ｆ）は、（ｄ）中Ｄを拡大して示す縦断面図である。
【図３】（ａ）は、本実施による格子体の全体を示す正面図であり、（ｂ）は、（ａ）のＢ−Ｂ線を断面して一部を拡大した横断面図である。
【発明を実施するための形態】
【０００８】
以下に、図面に基づいて本実施による格子体を説明する。
本実施による格子体は、図３（ａ）（ｂ）のように、上下に間隔をあけて配置した二本の胴縁１の間に、左右に間隔をあけて複数の縦格子（格子）２を配置したものであり、縦格子２を固着した状態の胴縁１を支柱３の一側の見付け壁３ａに固着して支持するものである。
【０００９】
胴縁１は、図１と図２（ａ）のように、胴縁補助材４と胴縁材５とからなっており、胴縁補助材４は、垂直片６と垂直片６下端から見込み方向一側に向けて水平に突出する水平片７とからほぼＬ字型を成している。また、垂直片６の胴縁補助材４内周側面には、上下に間隔をあけて下向きに突出する鉤爪状をなす被係合部８ａおよび被係止部８ｂが各々設けてあり、さらに、水平片７の胴縁補助材４内周側面には、上向き凸状に盛り上がる突条（胴縁材当接部）９が設けてある。また、胴縁補助材４垂直壁１０の被係合部８ａおよび被係止部８ｂ間には垂直壁１０の肉厚を貫通するネジ孔が設けてあり、そのネジ孔にネジ１８を螺合することで縦格子２の一側の見付け壁２ａに胴縁補助材４が固着される。そして、胴縁材５は、中空部を有し且つ断面略矩形状をなしており、胴縁補助材４の垂直片６と対面する一側の垂直壁１０には、上下に間隔をあけて上向きに突出する係合部１１ａおよび係止部１１ｂが各々設けてあり、底壁１５は、外周側に肉厚部（胴縁補助材当接部）１２を有している。また、底壁１５の他側の垂直壁１０ａにつながる部分は上方に傾斜する傾斜壁１５ａを有しており、その傾斜壁１５ａの外周部に沿う形でブラケット１３の一端部側１３ａが取り付けられてネジ１４で固定してあり、また、ブラケット１３の他端部１３ｂ側は、支柱３の一側の見付け壁３ａに設けてある取付溝１７にスライドして取り付けあるとともに、ボルト２０とナット２１で互いが固定してあり、これによって縦格子２を固着した胴縁１を支柱３に固定している。
【００１０】
胴縁補助材４と胴縁材５との取り付けは、図２（ｂ）〜（ｆ）のように、まず、図２（ｂ）のように、縦格子２の見付け方向他側（一側）の見付け壁２ａに固定してある胴縁補助材４のＬ字の内周側に沿って胴縁材５をスライドしていくが、このとき、胴縁補助材４の下向きに突出する被係合部８ａおよび被係止部８ｂと、胴縁材５の上向きに突出する係合部１１ａおよび係止部１１ｂとを鉤爪状同士で引っ掛ける。次に、胴縁材５を所定の位置までスライドした段階で、図２（ｃ）のように、胴縁材５の係合部１１ａを軸として見込み方向に回動することで、胴縁材５が胴縁補助材４の垂直片６側に押し込まれる。このとき、被係合部８ａと係合部１１ａは、図２（ｅ）のように、当初、被係合部８ａと係合部１１ａの鉤爪状の突出先端部同士が上下に隙間が開いた状態となっており、胴縁材５を見込み方向他側に押し込むことで、胴縁材５底壁１５の他部より厚肉に形成してある肉厚部１２と胴縁補助材４水平片７の内周側に設けてある上向きに突出した突条９とが、垂直片６と水平片７の弾性で押し合う状態となる。さらに、胴縁材５を押し込み、胴縁材５の垂直壁１０に胴縁補助材４の被係止部８ｂが当接するとともに、胴縁材５底壁１５から垂下するストッパー１６が水平片７の突出先端に当接してそれ以上の押し込みが規制されたときに、肉厚部１２と突条９とが押し合う位置を支点として胴縁材５がてこの作用で持ち上がり、図２（ｆ）のように、胴縁材５と一緒に係合部１１ａおよび係止部１１ｂも上方に持ち上がることで、胴縁補助材４の被係合部８ａおよび被係止部８ｂと上下にほとんど隙間のない状態で当接する。このとき、胴縁材５が胴縁補助材４の垂直片６と水平片７とをＬ字の内周側から押し拡げるように押し込んだときの反発力で強く把持され、この結果、胴縁補助材４と胴縁材５が強固に係合される。尚、本実施のものでは、ネジ１９により胴縁補助材４水平片７と胴縁材５底壁１５を固定してあり、胴縁補助材４からの胴縁材５のスライド可能方向の抜け出しを規制している。また、水平片７の突条９が、胴縁材５との間を緩衝して座金の役割を果たしているとともに、突条９で肉厚部１２に当接しているので、胴縁材５を押し込むときに摩擦が生じにくく、押し込みが容易である。
【００１１】
上記のように本実施による格子体を形成すると、格子２の一側の見付け壁２ａに胴縁補助材４がネジ１８で固着されるとともに、胴縁補助材４の垂直片６と水平片７の内周側に、胴縁材５の係合部１１ａが胴縁補助材４の被係合部８ａに係合して取り付けられることから、格子の外からはネジ１８が見えなくなって外観意匠性の良好な格子体が形成される。また、本発明による格子体は、上記実施形態では胴縁１を縦格子２と支柱３に固着するものについて示したが、例えば、横格子や躯体壁面に固定するものでもよく、その形態を限定するものではない。また、胴縁材５についても、上記実施形態では矩形状のものについて記載したが、Ｌ型の胴縁補助材４に有する被係合部８ａと対応して係合できる係合部１１ａを有するものであれば、断面が角丸矩形状、面取り形状などでもよい。また、胴縁材５の肉厚部１２と胴縁補助材４の突条９は、少なくとも一方が他方を押圧するような肉厚部又は突条と同様のはたらきをする形状としてあればよい。また、被係止部８ｂおよび係止部１１ｂは、胴縁材５が係合部１１ａを軸に見込み方向に回動したときに、少なくとも一方が胴縁補助材４の垂直片６または胴縁材５の垂直壁１０に当接するような形状であればよい。
【符号の説明】
【００１２】
１  胴縁
２  縦格子（格子）
４  胴縁補助材
５  胴縁材
６  垂直片
７  水平片
８ａ  被係合部
８ｂ  被係止部
９  突条（胴縁材当接部）
１０  垂直壁
１１ａ  係合部
１１ｂ  係止部
１２  肉厚部（胴縁補助材当接部）
１５  底壁
【図１】
2011174334.tif 000003
【図２】
2011174334.tif 000004
【図３】
2011174334.tif 000005